(57)【要約】【課題】広告に対する予想課金額を算出する方法およびこの方法を実行するシステムを提供する。【解決手段】広告に対する予想課金額を算出する方法は、広告の登録時に広告に対する最大クリック費用が入力されるステップと、広告に該当するキーワードに対する平均照会数を確認するステップと、広告が掲載される広告領域の平均ＣＴＲを確認するステップと、最大クリック費用、平均照会数、および平均ＣＴＲに基づいて広告に対する予想課金額を算出するステップとを含む。【選択図】図２
2009064436.tif 000002
【特許請求の範囲】
【請求項１】
広告に対する予想課金額を算出する方法であって、
広告の登録時に前記広告に対する最大クリック費用が入力されるステップと、
前記広告に該当するキーワードに対する平均照会数を確認するステップと、
広告領域別に平均ＣＴＲを確認するステップと、
前記最大クリック費用、前記平均照会数、および前記平均ＣＴＲに基づいて前記広告に対する予想課金額を算出するステップと、
を含むことを特徴とする予想課金額算出方法。
【請求項２】
前記最大クリック費用は、前記広告のクリックあたりの最大費用であって、前記広告の登録時に前記広告の広告主によって入力されることを特徴とする請求項１に記載の予想課金額算出方法。
【請求項３】
前記広告に該当するキーワードに対する平均照会数を確認する前記ステップは、
最近ｎ日間の前記キーワードに対する照会数の平均値を前記平均照会数として確認するステップであることを特徴とする請求項１に記載の予想課金額算出方法。
【請求項４】
広告領域別に平均ＣＴＲを確認する前記ステップは、
所定の期間ごとに複数の広告領域別にＣＴＲの平均値を計算および保持し、前記広告の登録時に前記ＣＴＲの平均値を前記平均ＣＴＲとして確認するステップであることを特徴とする請求項１に記載の予想課金額算出方法。
【請求項５】
前記広告が掲載される広告領域を確認するステップ、をさらに含み、
広告領域別に平均ＣＴＲを確認する前記ステップは、
所定の期間ごとに複数の広告領域別にＣＴＲの平均値を計算および保持し、前記広告の登録時に前記広告が掲載される広告領域に対するＣＴＲの平均値を前記平均ＣＴＲとして確認するステップであることを特徴とする請求項１に記載の予想課金額算出方法。
【請求項６】
前記最大クリック費用、前記平均照会数、および前記平均ＣＴＲに基づいて前記広告に対する予想課金額を算出する前記ステップは、
前記最大クリック費用、前記平均照会数、および前記平均ＣＴＲの間に下記の数式のような演算を適用して前記予想課金額を算出するステップであることを特徴とする請求項１に記載の予想課金額算出方法。
【数１】
2009064436.tif 000004
【請求項７】
前記算出された予想課金額を広告登録ページを介して露出するステップ、をさらに含むことを特徴とする請求項１に記載の予想課金額算出方法。
【請求項８】
請求項１〜７のうちのいずれか一項の方法をコンピュータに実行させるためのプログラムを記録したコンピュータ読み取り可能な記録媒体。
【請求項９】
広告に対する予想課金額を算出するシステムであって、
広告の登録時に前記広告に対する最大クリック費用が入力される最大クリック費用受信部と、
前記広告に該当するキーワードに対する平均照会数を確認する平均照会数確認部と、
広告領域別に平均ＣＴＲを確認する平均ＣＴＲ確認部と、
前記最大クリック費用、前記平均照会数、および前記平均ＣＴＲに基づいて前記広告に対する予想課金額を算出する予想課金額算出部と、
を備えることを特徴とする予想課金額算出システム。
【請求項１０】
前記平均照会数確認部は、
最近ｎ日間の前記キーワードに対する照会数の平均値を前記平均照会数として確認することを特徴とする請求項９に記載の予想課金額算出システム。
【請求項１１】
前記平均ＣＴＲ確認部は、
所定の期間ごとに複数の広告領域別にＣＴＲの平均値を計算および保持し、前記広告の登録時に前記ＣＴＲの平均値を前記平均ＣＴＲとして確認するステップであることを特徴とする請求項９に記載の予想課金額算出システム。
【請求項１２】
前記広告が掲載される広告領域を確認する広告領域確認部、をさらに備え、
前記平均ＣＴＲ確認部は、
所定の期間ごとに複数の広告領域別にＣＴＲの平均値を計算および保持し、前記広告の登録時に前記広告が掲載される広告領域に対するＣＴＲの平均値を前記平均ＣＴＲとして確認するステップであることを特徴とする請求項９に記載の予想課金額算出システム。
【請求項１３】
前記予想課金額算出部は、
前記最大クリック費用、前記平均照会数、および前記平均ＣＴＲの間に下記の数式のような演算を適用して前記予想課金額を算出することを特徴とする請求項９に記載の予想課金額算出システム。
【数２】
2009064436.tif 000005
【請求項１４】
前記算出された予想課金額を広告登録ページを介して露出する予想課金額露出部、をさらに備えることを特徴とする請求項９に記載の予想課金額算出システム。
【発明の詳細な説明】
【技術分野】
【０００１】
本発明は、広告に対する予想課金額を算出する方法およびこの方法を実行するシステムに関する。
【背景技術】
【０００２】
キーワード広告（ｋｅｙｗｏｒｄ  ａｄｖｅｒｔｉｓｉｎｇ）とは、広告主が特定のキーワードを購買した後に、ユーザが該当するキーワードが含まれた検索語で検索を行った場合に、その検索結果ページに広告を露出する広告の一形態である。例えば、ユーザが「引越し」に関するキーワードを検索すると、画面に「梱包引越し」、「引越しセンター」などの引越しに関する広告が表れるようになり、特定の製品や関心を有する者にのみ広告が露出されるという点において、不特定多数を相手にする既存のバナー（ｂａｎｎｅｒ）広告とは異なる。すなわち、特定の製品や事案に関心を有する者にのみ広告内容を示すことができるため、ターゲット化された広告効果を高めることができ、広告クリック率も高い。
【０００３】
このようなキーワード広告には、ＣＰＣ方式の広告とＣＰＭ方式の広告とがある。ＣＰＣ広告（Ｃｏｓｔ  Ｐｅｒ  Ｃｌｉｃｋ）とは、検索が起こった後にその広告が露出される回数に関係なく、露出された広告をクリックしたときにのみ広告費用が支払われる方式を言う。すなわち、広告主が所望する金額だけの一定金額を預けた後、関連したキーワードの結果に広告を露出させ、クリックによってリンクが設定されたサイトに移動したときにのみ、クリックあたりの費用を差し引いていく方式を意味する。一方、ＣＰＭ（Ｃｏｓｔ  Ｐｅｒ  Ｍｉｌｌ）とは、一定の期間の間に進められる広告に対して固定金額を定額制で指定した後に、その金額分だけクリックに関係なく進められる広告方式を意味する。
【０００４】
従来技術におけるキーワード広告は、多様な広告領域別に入札価格に応じて広告順位が決定され、広告の順位に応じて露出される。このような従来技術において、広告主がＣＰＣ広告などの広告を登録しようとする場合に、広告主が合理的な広告予算を予測し難いという問題点がある。特に、一定金額を予め充填し、充填された金額から広告費を除く（除算）という課金方式において、広告主がどれ程の金額を充填（準備）しなければならないのかに対する予測が極めて困難であるという問題点を抱えている。
【発明の開示】
【発明が解決しようとする課題】
【０００５】
本発明は、上記した問題点を解決するために案出されたものであって、広告主が広告を登録したり、営業テレマーケッター（ＴＭＲ）が営業ツールを介して広告を登録したりする場合に、広告に対する予想費用を提案することで、合理的な広告予算を策定できるようにする予想課金額算出方法およびシステムを提供することを目的とする。
【０００６】
また、本発明は、最大クリック費用、所定の期間の平均照会数、および広告が露出する広告領域の平均ＣＴＲを用いて予想課金額を算出することによって広告領域別に広告に対する予想費用を提案し、広告主や営業ＴＭＲがより一層便利かつ合理的に広告の予算を策定することができる予想課金額算出方法およびシステムを提供することを他の目的とする。
【課題を解決するための手段】
【０００７】
上記した目的を達成するために、本発明の一実施形態に係る広告に対する予想課金額を算出する方法は、広告の登録時に前記広告に対する最大クリック費用が入力されるステップと、前記広告に該当するキーワードに対する平均照会数を確認するステップと、前記広告が掲載される広告領域の平均ＣＴＲ（Ｃｌｉｃｋ  Ｔｈｒｏｕｇｈ  Ｒａｔｅ）を確認するステップと、前記最大クリック費用、前記平均照会数、および前記平均ＣＴＲに基づいて前記広告に対する予想課金額を算出するステップとを含む。
【０００８】
本発明の一側面によれば、前記最大クリック費用は、前記広告のクリックあたりの最大費用であって、前記広告の登録時に前記広告の広告主によって入力することができる。
【０００９】
本発明の一側面によれば、前記広告に該当するキーワードに対する平均照会数を確認する前記ステップは、最近ｎ日間の前記キーワードに対する照会数の平均値を前記平均照会数として確認するステップであることができる。
【００１０】
本発明の一側面によれば、前記広告が掲載される広告領域の平均ＣＴＲを確認する前記ステップは、所定の期間ごとに複数の広告領域別にＣＴＲの平均値を計算および保持するステップと、前記広告が掲載される広告領域を確認するステップと、前記広告領域に対する前記ＣＴＲの平均値を前記平均ＣＴＲとして確認するステップとを含むことができる。
【００１１】
本発明の一実施形態に係る広告に対する予想課金額を算出するシステムは、広告の登録時に前記広告に対する最大クリック費用が入力される最大クリック費用受信部と、前記広告に該当するキーワードに対する平均照会数を確認する平均照会数確認部と、前記広告が掲載される広告領域の平均ＣＴＲを確認する平均ＣＴＲ確認部と、前記最大クリック費用、前記平均照会数、および前記平均ＣＴＲに基づいて前記広告に対する予想課金額を算出する予想課金額算出部とを備える。
【発明の効果】
【００１２】
本発明によれば、広告主が広告を登録したり、営業テレマーケッターが営業ツールを介して広告を登録したりする場合に、広告に対する予想費用を提案することで、合理的な広告予算を策定することができる効果がある。
【００１３】
また、本発明によれば、最大クリック費用、所定の期間の平均照会数、および広告が露出する広告領域の平均ＣＴＲを用いて予想課金額を算出することによって広告領域別に広告に対する予想費用を提案することで、広告主や営業ＴＭＲがより一層便利かつ合理的に広告の予算を策定することができる効果がある。
【発明を実施するための最良の形態】
【００１４】
以下、添付の図面を参照しながら、本発明に係る多様な実施形態について詳しく説明する。
【００１５】
本発明は、広告主がより合理的に広告の予算を策定できるようにするために、広告の登録時に広告主が希望する広告に対する予想課金額を広告領域別に算出して提供する予想課金額算出方法およびシステムに関する。
【００１６】
図１は、予想課金額算出システムを概括的に示す一例である。
【００１７】
広告主は、広告主端末機１０１とネットワーク１０２を介して予想課金額算出システム１０３にアクセスすることができる。このとき、このような予想課金額算出システム１０３は、広告を登録する広告登録システムと連動したり、広告登録システムに含まれて動作したりできる。
【００１８】
すなわち、広告主が広告登録システムを介して自身の広告を登録しようとする場合に、予想課金額算出システム１０３は、広告の予想課金額を算出し、広告登録システムが提供する広告登録ページ１０４を通じて予想課金額を露出させることで、広告主が合理的に広告に対する広告予算を策定するようにできる。
【００１９】
図２は、本発明の一実施形態において、広告に対する予想課金額を算出する方法を説明するためのフローチャートである。
【００２０】
ステップＳ２０１で、広告の予想課金額を算出する予想課金額算出システムは、広告主端末機１０１を介して広告の登録時の当該広告に対する最大クリック費用の入力を広告主から受ける。ここで、最大クリック費用とは、広告の１クリックあたりの最大費用であって、広告の登録時に広告の広告主によって任意に入力されることができる。
【００２１】
ステップＳ２０２で、予想課金額算出システムは、広告に該当するキーワードに対する平均照会数を確認する。このとき、広告に該当するキーワードに対する平均照会数を確認するために、予想課金額算出システムは、最近ｎ日間のキーワードに対する照会数の平均値を平均照会数として確認することができる。例えば、予想課金額算出システムは、最近１０日間のキーワードに対する照会数に対する平均値を計算し、平均値を平均照会数として確認することができる。
【００２２】
ステップＳ２０３で、予想課金額算出システムは、広告領域別に平均ＣＴＲ（Ｃｌｉｃｋ  Ｔｈｒｏｕｇｈ  Ｒａｔｅ）を確認する。このとき、広告領域別に平均ＣＴＲを確認するために、予想課金額算出システムは、所定の期間ごとに複数の広告領域別にＣＴＲの平均値を計算および保持し、広告の登録時にＣＴＲの平均値を平均ＣＴＲとして確認することができる。例えば、２０日を基準として２０日ごとに２０日間のＣＴＲを広告領域別に確認し、広告領域別平均値を計算して平均ＣＴＲとして確認することができる。
【００２３】
さらに、予想課金額算出システムは、広告が掲載される広告領域を確認するステップ（図示せず）をさらに実行することができる。このとき、広告領域別に平均ＣＴＲを確認するステップＳ２０３は、所定の期間ごとに複数の広告領域別にＣＴＲの平均値を計算および保持し、広告の登録時に当該広告が掲載される広告領域に対するＣＴＲの平均値を平均ＣＴＲとして確認するステップであることができる。すなわち、予想課金額算出システムは、所定の期間ごとに複数の広告領域別にＣＴＲの平均値を計算および保持することができ、広告の登録時に当該広告が掲載される広告領域を確認した後、広告領域に対するＣＴＲの平均値を広告の平均ＣＴＲとして確認することもできる。
【００２４】
ステップＳ２０４で、予想課金額算出システムは、最大クリック費用、平均照会数、および平均ＣＴＲに基づいて広告に対する予想課金額を算出する。ここで、予想課金額算出システムは、最大クリック費用、平均照会数、および平均ＣＴＲに基づいて広告に対する予想課金額を算出するために、最大クリック費用、平均照会数、および平均ＣＴＲの間に下記の数式（１）のような演算を適用して予想課金額を算出することができる。
【００２５】
【数３】
2009064436.tif 000003
【００２６】
ここで、予想課金額は、統合検索の品質管理（ＱＣ：Ｑｕａｌｉｔｙ  Ｃｏｎｔｒｏｌ）変数、キーワード別平均、および広告のリスティング（ｌｉｓｔｉｎｇ）に対するＣＴＲ変数を反映して再定義することもできる。
【００２７】
ステップＳ２０５で、予想課金額算出システムは、算出された予想課金額を広告登録ページを介して露出する。すなわち、図１を参照しながら説明したように、広告が登録される場合に、予想課金額算出システムは、予想課金額を算出し、算出された予想課金額を広告登録システムで提供する広告登録ページに追加することで、広告主に広告に対する予想課金額を露出することができる。
【００２８】
図３は、本発明の一実施形態において、予想課金額算出システムの内部構成を説明するためのブロック図である。ここで、図３に示すように、予想課金額算出システム３００は、最大クリック費用受信部３０１と、平均照会数確認部３０２と、平均ＣＴＲ確認部３０３と、予想課金額算出部３０４と、予想課金額露出部３０５とを備える。
【００２９】
最大クリック費用受信部３０１は、広告主から広告主端末機１０１を介して広告の登録時の広告に対する最大クリック費用の入力を受け付ける。ここで、最大クリック費用とは、広告のクリックあたりの最大費用であって、広告の登録時に広告の広告主によって入力することができる。
【００３０】
平均照会数確認部３０２は、広告に該当するキーワードに対する平均照会数を確認する。このとき、広告に該当するキーワードに対する平均照会数を確認するために、平均照会数確認部３０２は、最近ｎ日間のキーワードに対する照会数の平均値を平均照会数として確認することができる。例えば、平均照会数確認部３０２は、最近１０日間のキーワードに対する照会数に対する平均値を計算し、平均値を平均照会数として確認することができる。
【００３１】
平均ＣＴＲ確認部３０３は、広告領域別に平均ＣＴＲを確認する。このとき、広告領域別に平均ＣＴＲを確認するために、平均ＣＴＲ確認部３０３は、所定の期間ごとに複数の広告領域別にＣＴＲの平均値を計算および保持し、広告の登録時にＣＴＲの平均値を平均ＣＴＲとして確認することができる。例えば、２０日を基準として２０日ごとに２０日間のＣＴＲを広告領域別に確認し、広告領域別平均値を計算して平均ＣＴＲとして確認することができる。
【００３２】
また、予想課金額算出システム３００は、広告が掲載される広告領域を確認する広告領域確認部（図示せず）をさらに備えることができる。このとき、平均ＣＴＲ確認部３０３は、所定の期間ごとに複数の広告領域別にＣＴＲの平均値を計算および保持し、広告の登録時に広告が掲載される広告領域に対するＣＴＲの平均値を平均ＣＴＲとして確認することができる。すなわち、平均ＣＴＲ確認部３０３は、所定の期間ごとに複数の広告領域別にＣＴＲの平均値を計算および保持し、広告領域確認部が広告の登録時に広告が掲載される広告領域を確認した後、広告領域に対するＣＴＲの平均値を広告の平均ＣＴＲとして確認することができる。
【００３３】
予想課金額算出部３０４は、最大クリック費用、平均照会数、および平均ＣＴＲに基づいて広告に対する予想課金額を算出する。ここで、予想課金額算出部３０４は、最大クリック費用、平均照会数、および平均ＣＴＲに基づいて広告に対する予想課金額を算出するために、最大クリック費用、平均照会数、および平均ＣＴＲの間に上記した数式（１）のような演算を適用して予想課金額を算出することができる。
【００３４】
予想課金額露出部３０５は、算出された予想課金額を広告登録ページを介して露出する。すなわち、図１を参照しながら説明したように、広告が登録される場合に、予想課金額算出システム３００は、予想課金額を算出し、算出された予想課金額を前記広告登録システムで提供する広告登録ページに追加することで、広告主に広告に対する予想課金額を露出することができる。
【００３５】
このように、本発明に係る予想課金額算出方法または予想課金額算出システムを用いれば、広告主が広告を登録したり、営業テレマーケッターが営業ツールを介して広告を登録したりする場合に、広告に対する予想費用を提案することで、合理的な広告予算を策定することができる。また、最大クリック費用、所定の期間の平均照会数、および広告が露出する広告領域の平均ＣＴＲを用いて予想課金額を算出することによって広告領域別に広告に対する予想費用を提案することで、広告主や営業ＴＭＲがより一層便利かつ合理的に広告予算を策定することができる。
【００３６】
なお、本発明に係る予想課金額算出方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００３７】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００３８】
【図１】予想課金額算出システムを概括的に示す一例である。
【図２】本発明の一実施形態において、広告に対する予想課金額を算出する方法を説明するためのフローチャートである。
【図３】本発明の一実施形態において、予想課金額算出システムの内部構成を説明するためのブロック図である。
【符号の説明】
【００３９】
３００：予想課金額算出システム
３０１：最大クリック費用受信部
３０２：平均照会数確認部
３０３：平均ＣＴＲ確認部
３０４：予想課金額算出部
３０５：予想課金額露出部
【図１】
2009064436.tif 000006
【図２】
2009064436.tif 000007
【図３】
2009064436.tif 000008